(57)【要約】【課題】  被検者が必要な情報を視認することができる放射線撮影システムを提供する。【解決手段】  放射線撮影システムは、放射線を発生させる放射線発生部１と、被検者５を透過した放射線を検出する放射線検出部６と、被検者５に関連する情報を投影する画像投影部と、画像投影部から投影された情報を映像として表示するスクリーン４とを備え、スクリーン４は放射線発生部１と放射線検出部６の間に設置される。【選択図】  図１
2015128521.tif 000002
【特許請求の範囲】
【請求項１】
被検者に関連する情報を投影する画像投影部と、
放射線を発生させる放射線発生部と被検者を透過した放射線を検出する放射線検出部の間に設置され、前記画像投影部から投影された前記情報を映像として表示するスクリーンとを備えることを特徴とする放射線撮影システム。
【請求項２】
前記スクリーンを支持するとともに移動させる支持部を備えていることを特徴とする請求項１に記載の放射線撮影システム。
【請求項３】
前記スクリーンは、透過型のスクリーンであることを特徴とする請求項１に記載の放射線撮影システム。
【請求項４】
前記スクリーンの周囲を支持する枠部を備え、前記枠部は前記支持部に対して回動可能に連結されることを特徴とする請求項１に記載の放射線撮影システム。
【請求項５】
前記画像投影部は、前記放射線発生部の放射線の照射範囲を設定するコリメータの内部に設置されることを特徴とする請求項１に記載の放射線撮影システム。
【請求項６】
前記コリメータは、前記放射線発生部の放射線の照射範囲とともに、前記画像投影部から前記スクリーンに投影される映像の表示範囲を設定することを特徴とする請求項５に記載の放射線撮影システム。
【請求項７】
前記画像投影部は、前記放射線発生部の放射線の照射範囲を設定するコリメータの外部に着脱可能に設置されることを特徴とする請求項１に記載の放射線撮影システム。
【請求項８】
前記画像投影部は、光を放射する光源と、画像を表示する透過型の画像表示部と、前記画像を投影させる複数の投影レンズとを有していることを特徴とする請求項１に記載の放射線撮影システム。
【請求項９】
前記画像投影部は、ビデオカメラから出力される画像を映像として投影することを特徴とする請求項１に記載の放射線撮影システム。
【請求項１０】
床面を移動可能な台車と、前記台車に対して鉛直方向に立置された支柱と、支柱に設置されたアームとを備え、前記アームは前記放射線発生部を支持することを特徴とする請求項１に記載の放射線撮影システム。
【請求項１１】
放射線を発生させる放射線発生部と、
被検者を透過した放射線を検出する放射線検出部と、
前記被検者に関連する情報を投影する画像投影部と、
前記放射線発生部と前記放射線検出部の間に設置され、前記画像投影部から投影された前記情報を映像として表示するスクリーンとを備えることを特徴とする放射線撮影システム。
【発明の詳細な説明】
【技術分野】
【０００１】
本発明は、被検者を透過した放射線から放射線画像を得るための放射線撮影システムに関する。
【背景技術】
【０００２】
近年、ＤＲ（Ｄｉｇｉｔａｌ  Ｒａｄｉｏｇｒａｐｈｙ）撮影部などの放射線検出部を用いて放射線による放射線画像をモニタに表示させる放射線撮影装置が普及している。また、架台装置に支持されるＤＲ撮影部や、ケーブルレスのＤＲ撮影部も開発されている。
ここで、放射線撮影装置を用いて被検者を撮影する場合、被検者によっては、付添者が撮影時に離れることにより不安を感じ、再撮影の原因となる体動が発生しやすい場合がある。特許文献１では、放射線発生部における撮影条件や撮影範囲などの情報を被検者に投影することで、撮影者の情報視認を向上させ、放射線撮影の効率化を行っている。（特許文献１参照）
【先行技術文献】
【特許文献】
【０００３】
【特許文献１】特開平１０−２０４２５号公報
【発明の概要】
【発明が解決しようとする課題】
【０００４】
特許文献１に示す放射線撮影装置では、情報を被検者に投影するため、被検者から情報を視認することは難しかった。
そこで、本発明の目的は、被検者に関する情報を視認することができる放射線撮影システムを提供することである。
【課題を解決するための手段】
【０００５】
上述した目的を達成するため、被検者に関連する情報を投影する画像投影部と、放射線を発生させる放射線発生部と被検者を透過した放射線を検出する放射線検出部の間に設置され、前記画像投影部から投影された前記情報を映像として表示するスクリーンとを備える。
【発明の効果】
【０００６】
本発明の放射線撮影システムによれば、被検者に関する情報を視認することができる。
【図面の簡単な説明】
【０００７】
【図１】実施例１の放射線撮影システムの立位撮影時の構成図。
【図２】実施例１の放射線撮影システムの臥位撮影時の構成図。
【図３】実施例１の画像投影部の構成図。
【図４】実施例２の画像投影部の構成図。
【図５】実施例３の移動型放射線撮影システムの構成図。
【図６】実施例３のスクリーン支持部の構成図。
【発明を実施するための形態】
【０００８】
図を用いて本発明の放射線撮影システムを説明する。
【実施例１】
【０００９】
図１、図２は、本発明の実施例１に係わる放射線撮影システムの構成を示す図である。図１は、被検者が立位撮影時の放射線撮影システムの構成を示す図であり、図２は、被検者が臥位撮影時の放射線撮影システムの構成を示す図である。
【００１０】
図１、図２において、放射線撮影システムは、放射線を発生させる放射線発生部１と、放射線発生部１を支持するアーム２とを備えている。放射線発生部１は、主に陽極とフィラメントを有し、フィラメントから発生された電子が陽極に衝突することにより放射線が発生される。アーム２は、天井又は壁に対して移動可能に支持されている。アーム２が天井又は壁に対して移動する移動部を有していることで、放射線発生部１の位置を任意に移動させることができる。
【００１１】
また、放射線撮影システムは、放射線発生部１からの放射線の照射範囲を鉛板等で絞ることで制限するコリメータ３を備えている。コリメータ３は、放射線発生部１の放射線発生側に設置されている。また、コリメータ３には、映像１１を外部に投影する画像投影部が設置されている。
【００１２】
また、放射線撮影システムは、投影された映像１１を表示するスクリーン４を備えている。画像投影部からスクリーン４の背面に映像１１が投影され、被検者５はスクリーン４の前面から映像１１を視認することができる。スクリーン４は、透過型のスクリーンであり、例えば、半透明のスクリーンである。スクリーン４は、例えば、ビニールやアクリルなどで構成されている。
【００１３】
放射線撮影システムは、スクリーン４を支持するとともに移動させる支持部８を備えている。具体的には、スクリーン４は、天井又は壁に対して、紐又はワイヤからなる支持部８を介して支持されている。支持部８は、鉛直方向若しくは水平方向に移動することができる移動機構を有している。よって、スクリーン４は、支持部８を介して移動させることができる。スクリーン４を使用する場合、支持部８を鉛直方向若しくは水平方向に移動させることにより、放射線発生部１と放射線撮影をされる被検者５の間にスクリーン４を設置させる。スクリーン４を使用しない場合、支持部８を鉛直方向若しくは水平方向に移動させることにより、スクリーン４を天井又は壁側に退避させる。
【００１４】
なお、スクリーン４は、スクリーンを巻き取る巻取部９を備えていてもよい。巻取部９でスクリーン４を巻き取ることにより、スクリーン４を退避させることができる。巻取部９からスクリーン４を引き出すことにより、スクリーン４を設置することができる。
【００１５】
また、図１に示す放射線撮影システムは、被検者５を透過した放射線を検出する放射線検出部６と、放射線検出部６を支持する架台７を備えている。架台７は床面に支持され、床面に対して垂直に設置されている。架台７は放射線検出部６を上下に移動させる機構を有している。放射線発生部１が照射した放射線は、被検体５を透過して放射線検出部６に到達する。放射線検出部６は、被検体を透過して到達した放射線を電気信号に変換して、放射線画像を生成する。放射線画像は、表示部（図示しない。）に表示される。
【００１６】
図２に示す放射線撮影システムは、被検者５を支持する支持テーブル（ベッド）１０を備えている。支持テーブル１０の背面に放射線検出部６が設置されている。放射線検出部６は、支持テーブル１０を透過した放射線を検出する。スクリーン４には、画像投影部から投影された映像１１が表示される。スクリーン４の背面から映像１１が投影され、被検者５はスクリーン４の前面から映像１１を視認することができる。
【００１７】
次に、コリメータ３に設置された画像投影部について説明する。図３は、コリメータ３の内部に設置された画像投影部１８の構成図である。画像投影部１８は破線領域である。
【００１８】
放射線発生部１による放射線の照射範囲を設定するコリメータ３は、コリメータ３の内部の構成要素を保護する筐体２０を有している。放射線発生部１（図示しない。）とコリメータ３の間には、コリメータ３に連結された回転機構２１が設置されている。回転機構２１は、放射線照射の中心方向を軸として、コリメータ３を放射線発生部１に対して回転可能に構成されている。回転機構２１によってコリメータ３を回転させることにより、放射線発生部１による放射線の照射範囲の回転角度を設定することができる。
【００１９】
また、コリメータ３は、コリメータ３と被検者５との距離を一定以上に保つように配置されるガード２２を有している。ガード２２は、コリメータ３の筐体１０における放射線発生側に設置される。ガード２２が被検者５に接触することにより、コリメータ３と被検者５との距離を一定以上に保つことができる。
【００２０】
焦点２３は、放射線発生部１（図示しない。）内の放射線の焦点である。放射線発生部１の焦点２３から下方向に放射線が照射される。
【００２１】
コリメータ３は、主に鉛板で構成される複数の照射制限羽根２４を有している。照射制限羽根２４は放射線を遮断する部材である。コリメータ３の筐体２０には、照射制限羽根２４と連動した調整つまみ（図示しない。）が構成され、調整つまみを動かすことにより、照射制限羽根２４を移動させることができる。照射制限羽根２４を移動させることにより、放射線の照射範囲を設定することができる。
【００２２】
コリメータ３の内部には、映像１１を投影する画像投影部１８が設置されている。具体的には、画像投影部１８は、光を放射する光源２６と、光源からの光を反射させるミラー２５とを有している。ミラー２５は、コリメータ３の内部において、傾斜角度を変更する機構を有している。ミラー２５は、光源２６からの光を反射し、放射線の照射範囲と同等の領域を可視光によって照射するように傾斜している。ミラー２５は、放射線発生部１から発生した放射線を妨げることなく照射するように傾斜角度を変更することができる。ミラー２５は、傾斜角度を変更しない場合には、光源２６と反対方向にスライド移動して、放射線照射を妨げない位置まで退避することもできる。
【００２３】
また、画像投影部１８は、画像を表示する透過型の画像表示部２７と、画像を投影させる複数の投影レンズ２８とを有している。投影レンズ２８は、画像表示部２７に表示される画像を拡大する機能を有している。光源２６とミラー２５の間に画像表示部２７と投影レンズ２８が配置されている。光源２６から放射された光が、画像表示部２７、投影レンズ２８、ミラー２５の順番で進み、画像表示部２７に表示された画像がスクリーン４に投影されるようになっている。画像表示部２７は、例えば、透過型の液晶パネルであり、光源２６から放射された光を透過させて画像表示部２７に表示されている画像を映像１１として投影することができる。
【００２４】
画像投影部１８は、コリメータ３の内部に設置されている。コリメータ３は、主に鉛板で構成される複数の照射制限羽根２４を有している。照射制限羽根２４は、スクリーン４に投影される映像を遮断する部材でもある。コリメータ３は、照射制限羽根２４を移動させることにより、放射線発生部１から照射される放射線の照射範囲とともに、画像投影部１８からスクリーン４に投影される映像の表示範囲を設定することができる。
【００２５】
画像表示部２７に静止画像が表示されると、スクリーン４には、静止画像が投影される。つまり、画像投影部１８は、スクリーン４に静止画像を投影することができる。画像表示部２７に動画像が表示されると、スクリーン４には、動画像が投影される。つまり、画像投影部１８は、スクリーン４に動画像を投影することができる。なお、画像投影部１８は、リアルタイムの動画像を映像１１として投影することもできる。画像表示部２７に映し出される画像により、スクリーン４に映し出される情報を変更することができる。
【００２６】
画像表示部２７は、被検者５に関する情報を表示させることができ、スクリーン４に被検者５に関する情報を投影することができる。被検者５に関する情報とは、例えば、被検者５が安心する画像、撮影時間、呼吸の指示情報などである。つまり、被検者５に関する情報は、被検者５が放射線撮影に必要な情報である。
【００２７】
画像表示部２７は、画像投影部１８の外部から入力された画像を表示することができる。つまり、画像投影部１８は、画像投影部１８の外部から入力された画像を映像１１として投影することができる。例えば、画像表示部２７は、ネットワークに接続され、画像投影部１８の外部から入力された被検者５に関する情報を表示することができる。つまり、画像投影部１８は、画像投影部１８の外部から入力された被検者５に関する情報を投影することができる。
【００２８】
また、被検者５に関する情報は、操作部（図示しない。）によって、選択される。画像表示部２７は、予め記憶された情報を、操作部によって選択して表示することもできる。つまり、画像投影部１８は、予め記憶された情報を、操作部によって選択して投影することもできる。
【００２９】
例えば、被検者５が乳幼児や小児の場合には、画像投影部１８から投影される映像１１を親などの付添者にすることにより、被検者５が安心して放射線撮影を行うことができる。付添者を放射線室以外から被検者５をあやすことで、付添者の被曝を防ぐことができる。
【００３０】
この場合、映像１１は、ビデオカメラを画像投影部１８（画像表示部）に接続することにより、ビデオカメラを介してリアルタイムに取得される画像を画像投影部１８（画像表示部）に出力してもよい。つまり、画像投影部１８はビデオカメラから取得されるリアルタイム画像を映像１１として投影することができる。スクリーン４にはビデオカメラから取得されるリアルタイム画像が映像１１として投影される。また、病院に保管されている被検者の付添者情報を画像投影部１８（画像表示部）に出力してもよい。さらに、映像１１を被検者の好きなキャラクターや動物、愛用品にしても同等の効果が得られる。
【００３１】
以上、本発明の放射線撮影システムによれば、放射線を発生させる放射線発生部１と、被検者５を透過した放射線を検出する放射線検出部６を備える。そして、放射線撮影システムは、被検者５に関連する情報を投影する画像投影部１８と、画像投影部１８から投影された情報を表示するスクリーン４とを備え、スクリーン４は放射線発生部１と放射線検出部６の間に設置される。
【００３２】
言い換えれば、放射線撮影システムは、被検者５に関連する情報を投影する画像投影部１８を備える。そして、放射線撮影システムは、放射線を発生させる放射線発生部１と被検者５を透過した放射線を検出する放射線検出部６の間に設置され、画像投影部１８から投影された情報を映像として表示するスクリーン４とを備える。被検者５は放射線発生部１と放射線検出部６の間に配置されるが、被検者５は放射線検出部６側に配置され、スクリーン４は放射線発生部１側に配置される。
【００３３】
よって、被検者５は、被検者５に関する情報を視認することができる。放射線撮影時に、被検者５の呼吸のタイミング等の撮影に関する表示を被検者５の視認性の高い位置に表示することができる。また、小児などの被検者で付添者が離れたことに不安になる被検者には、被検者の目の前に付添者を表示し、安心感を与えることが可能である。よって、被検者５の体動による再撮影を少なくすることができ、被検者５の無駄な被曝を抑制することができる。
【実施例２】
【００３４】
図４は、本発明の実施例２に係わる画像投影部１９の構成図である。実施例１と異なる点は、映像１１を投影する画像投影部１９をコリメータ３の外部に設置する点である。
【００３５】
図４において、筐体２０、回転機構２１、ガード２２、焦点２３、照射制限羽根２４、ミラー２５、光源２６は、実施例１において図３で説明したとおりである。
【００３６】
画像投影部１９は、光を放射する光源２９と、画像を表示する透過型の画像表示部２７と、画像を結像させるための複数の投影レンズ２８とを有している。投影レンズ２８は、画像表示部２７に表示される画像を拡大する機能を有している。
【００３７】
具体的には、コリメータ３は、光を放射する光源２６から放射された光を反射させるミラー２５とを有している。光を放射する光源２９は、第二の光源であり、コリメータ３の外部に構成された画像投影部１９内に少なくとも１つ構成されている。コリメータ３の外部とは、図４に示すようなコリメータ３の筐体２０の表面上である。画像投影部１９はコリメータ３の外部に着脱可能に設置される。画像投影部１９は、磁石、ロックなどの着脱機構を用いてコリメータ３に設置される。なお、画像投影部１９は、コリメータ３以外の放射線撮影システムの構成要素（放射線発生部１、アーム２など）に着脱可能に設置することもできる。つまり、画像投影部１９は、スクリーン４に画像が投影できる場所に設置されていればよい。
【００３８】
画像投影部１９において、光源２９から外部に向けて、画像表示部２７と投影レンズ２８が配置されている。光源２９から放射された光が、画像表示部２７、投影レンズ２８の順番で進み、画像表示部２７に表示された画像がスクリーン４に投影されるようになっている。光源２９から放射された光を透過させて画像表示部２７に表示されている画像は、映像１１として投影することができる。
【００３９】
以上のような構成により、画像表示部２７、投影レンズ２８、光源２９を含む画像投影部１９をコリメータ３の外部に構成することで、既存の放射線撮影システムに後付けで画像投影部１９を付加することができる。
【実施例３】
【００４０】
図５は、本発明の実施例３に係わる放射線撮影システムの構成を示す図である。実施例３では、実施例１、２に対して、放射線撮影システムが移動型であり、移動型放射線撮影システムでの構成を鑑みたものである。
【００４１】
図５に示されるように、放射線撮影システムは、床面を移動可能な台車３４と、台車３４に対して鉛直方向に立置された支柱３３と、支柱３３に設置されたアーム４０とを備えている。また、放射線撮影システムは、アーム４０に対して回動可能に設置され、放射線を発生する放射線発生部１を備えている。また、放射線撮影システムは、各構成要素を制御する制御部を有した本体（図示しない。）を台車３４に備えている。
【００４２】
アーム４０は、放射線発生部１を支持する第一のアーム３１と、第一のアーム３１に連結された第二のアーム３２とからなる。第二アーム３２は、第一アーム３１を水平方向にアーム長を伸縮可能なテレスコピック方式の機構を有している。つまり、アーム４０は水平方向に延びており、水平方向に伸縮可能である。操作者は、アーム４０を水平方向に伸縮することにより、放射線発生部１を水平方向に移動することができる。
【００４３】
アーム４０は、アーム接続部３５を介して支柱３３に設置されている。アーム接続部３５は、支柱３３の鉛直方向（上下方向）に移動する機構を有している。つまり、アーム４０は、支柱３３に対して鉛直方向に移動可能に支持されている。アーム４０を支柱３３に沿って鉛直方向に移動することにより、放射線発生部１を鉛直方向に移動することができる。支柱３３は、台車３４に対して軸周りに回転可能に支持されている。
【００４４】
また、放射線撮影システムの本体は、操作者が操作を行うための操作部４１と、放射線検出部６によって検出された画像を表示する表示部４２を備えている。また、放射線撮影システムの本体は、各構成要素を制御する制御部と、各構成要素に電力を供給する蓄電池と、外部機器と通信する通信部を有している。制御部は、放射線撮影システムの各構成要素に有線又は無線で接続されている。例えば、制御部は、放射線発生部１に有線で接続されている。制御部は、放射線発生部１に対して、撮影条件、電力供給、放射線発生の可否、放射線発生のタイミングなどを制御することができる。
【００４５】
図５（ａ）に示す放射線撮影システムでは、図３で説明したコリメータ３の内部に画像投影部１８を有している。図５（ｂ）に示す放射線撮影システムでは、図４で説明したようにコリメータ３の外部に画像投影部１９を有している。
【００４６】
図５（ａ）に示す放射線撮影システムでは、実施例１で説明したスクリーン４を支持するスクリーン支持部３６を備えている。スクリーン支持部３６は、放射線撮影システムの構成要素に連結され、スクリーン４を支持する。つまり、スクリーン支持部３６は、スクリーン４を支持するとともに移動させる機能を有している。
【００４７】
図６は、スクリーン支持部３６についての構成図を示す。図６（ａ）は、スクリーン４の収納前の形態を示し、図６（ｂ）は、スクリーン４の収納後の形態を示す。
【００４８】
スクリーン支持部３６は、放射線発生部１に連結されている。スクリーン支持部３６は、放射線発生部１に対して、アーム４０と連結されている側と反対側の端部に連結され、スクリーン４が片持ちで支持できるように構成されている。
【００４９】
スクリーン４は、剛性を有した枠部３７によって支持されている。枠部３７は、スクリーン４の周囲を支持する。つまり、枠部３７によってスクリーン４の撓みが抑制される。枠部３７は、スクリーン支持部３６に対して回動可能に連結される。
【００５０】
スクリーン支持部３６と枠部３７の間には、枠部３７をスクリーン４とともに回動させる回動部３８が設置されている。枠部３７が回動部３８を中心に回動することにより、スクリーン４を折り畳むことができる。図６（ａ）に示す形態からスクリーン４を折り畳むと、図６（ｂ）に示す形態になる。
【００５１】
放射線の照射範囲をコリメータ３から照射された可視光で見る際に、スクリーン４が可視光を妨げることなく、操作者はスムーズに確認することができる。また、放射線撮影システムで立位撮影を行う場合には、放射線発生部１をチルトさせることが必要である。スクリーン４がスクリーン支持部３６を介して放射線発生部１に連結されているため、放射線発生部１のチルトによって、スクリーン４もチルトさせることができる。よって、操作性を悪化させずに画像投影の機能を維持することができる。
【００５２】
スクリーン支持部３６は、放射線発生部１に連結されている形態を示したが、放射線撮影システムの他の構成要素に連結されていてもよい。
【００５３】
例えば、図５（ｂ）に示す放射線撮影システムでは、アーム４０に第二のスクリーン支持部３９が連結される。具体的には、第二アーム２１、若しくはアーム接続部３５に第二のスクリーン支持部３９が連結される。スクリーン支持部３６と第二のスクリーン支持部３９との両持ちでスクリーン４を支持する。これにより、図５（ａ）で示した構成に比べ、大きな映像をスクリーン４に投影することが可能となる。
【００５４】
その他の実施形態として、コリメータ３と被検者５との距離を一定以上に保つように配置されるガード２２にスクリーン４を設置してもよい。
【００５５】
具体的には、図３に示した放射線発生部１の２つのガード２２に渡すようにしてスクリーン４を設置してもよい。この場合には、片方のガード内部にスクリーン４を巻取り収納する機構を有することが望ましい。ガード２２に対してスクリーン４が取り外し可能であってもよい。
【００５６】
以上のような構成により、放射線撮影システムにおいても、画像投影部を装備させることで、汎用性が広がる。これにより、スクリーン４上の映像で、放射線撮影時の被検者５に的確な指示を与えることで、体動による再撮影を少なくすることができ、被検者の無駄な被曝をさらに抑制することができる。
【００５７】
なお、スクリーン４を支持するスクリーン支持部３６（第二のスクリーン支持部３９）を実施例１と実施例２の放射線撮影システムにも適用することができる。言い換えれば、スクリーン４を支持する支持部８をスクリーン支持部３６（第二のスクリーン支持部３９）に置き換えて適用することができる。具体的には、スクリーン４を支持する支持部８が放射線発生部１、若しくはアーム２に連結されていてもよい。スクリーン４は枠部３７によって支持され、枠部３７は、支持部８に対して回動可能に連結される。
【符号の説明】
【００５８】
１  放射線発生部
２  アーム
３  コリメータ
４  スクリーン
５  被検者
６  放射線検出部
７  架台
８  支持部
９  巻取部
１０  支持テーブル
１１  映像
【図１】
2015128521.tif 000003
【図２】
2015128521.tif 000004
【図３】
2015128521.tif 000005
【図４】
2015128521.tif 000006
【図５】
2015128521.tif 000007
【図６】
2015128521.tif 000008